(57)【要約】【課題】  本発明は今後どんどん大型化する表示装置において、新たな問題となり得る補強板の確保の困難性を解消すると共に、パネルを継ぎ合わせた際の上下方向の強度を十分に確保でき、今後の大型化にも十分対応できるマルチパネル型表示装置を提供することを目的とする。【解決手段】  ４枚の液晶パネルを接ぎ合わせて構成されるマルチ液晶パネル１０を備えたマルチパネル型液晶表示装置において、マルチ液晶パネル１０は、まず上下方向に隣接する液晶パネル３０、３０´と、前面側補強板４０ａと、背面側補強板５０ａとを一体化した液晶パネルユニット２０ａを形成する。そして同様の構成により液晶パネルユニット２０ｂも形成し、液晶パネルユニット２０ａ、２０ｂを接ぎ合わせることで構成されている。このようにすることにより、マルチ液晶パネルと同様の大きさの補強板を準備する必要がなくなると共に、上下方向の液晶パネルの貼り合せを十分に確保することができる。【選択図】        図１
2006065153.tif 000002
【特許請求の範囲】
【請求項１】
複数の表示パネルを上下左右に接ぎ合わせて構成されるマルチ表示パネルを備えたマルチパネル型表示装置において、
前記マルチ表示パネルは、まず上下方向に隣接する表示パネルと補強板とを一体化した表示パネルユニットを形成し、次に該表示パネルユニットを左右方向に配し互いに接ぎ合わせて構成されていることを特徴とするマルチパネル型表示装置。
【請求項２】
前記補強板は、前記表示パネルの前後に配置されていることを特徴とする請求項１に記載のマルチパネル型表示装置。
【請求項３】
前記表示パネルユニットにおいては、上下方向に隣接する表示パネルの端部が重なるように構成されていることを特徴とする請求項１または２に記載のマルチパネル型表示装置。
【請求項４】
前記補強板の厚さが表示パネルの位置により異なることを特徴とする請求項３に記載のマルチパネル型表示装置。
【請求項５】
前記マルチ表示パネルにおいては、隣接する表示パネルの端部が重なるように構成されていることを特徴とする請求項１または２に記載のマルチパネル型表示装置。
【請求項６】
前記補強板は、表示パネルの位置により厚さが異なると共に、左右方向に隣接する表示パネルを受け入れる切欠き部が設けられていることを特徴とする請求項５に記載のマルチパネル型表示装置。
【請求項７】
前記表示パネルは、液晶パネルからなることを特徴とする請求項１から６の何れかに記載のマルチパネル型表示装置。
【発明の詳細な説明】
【技術分野】
【０００１】
本発明は、中・小型の表示パネルを複数接ぎ合わせて大型の表示パネルを形成してなる、所謂マルチパネルを用いたマルチパネル型表示装置に関するものである。
【背景技術】
【０００２】
例えば、屋外テレビ放送や屋外広告等に用いる表示装置は、その大きさが大きければ大きいほど、より多くの人が観察することができ、また迫力を与えると共により強い印象を与えることができる。
【０００３】
このような大きな表示装置を一枚の表示パネルで作成することは、製造装置や製造プロセス等の関係で現実には容易ではない。そこで例えば特許文献１に記載されているような、中型或は小型の表示パネルを複数接ぎ合わせた大型の表示パネルを作成し、その大型の表示パネルを用いて大型の表示装置とした、所謂マルチパネル型表示装置が知られている。
【０００４】
図７は、特許文献１に記載されているようなマルチパネル型表示装置の一般的な構成を示す斜視図である。一対のガラス基板をガラス基板間に液晶材料を狭持するように貼り合せた４枚の液晶パネル１ａ、１ｂ、１ｃ、１ｄを並べ、隣り合う液晶パネルの側面同士を接ぎ合わせ、マルチ液晶パネル２を形成する。このマルチ液晶パネル２は一枚或は二枚の補強板を用いて、補強板と共に一体固定される。図７では２枚の補強板を用いており、一方はマルチ液晶パネルの前面側に配置される前面側補強板３、他方はマルチ液晶パネル２の背面側に配置される背面側補強板４を用いて、マルチ液晶パネル２と共に一体固定している。
【０００５】
補強板を用いているのは、マルチ液晶パネル２が本来薄いガラス基板を貼り合せた液晶パネルを接ぎ合わせたものであるため、マルチ液晶パネル２だけで表示装置を構成すると強度的に不足する等、問題がある。そのため通常マルチパネル型表示装置では補強板を用いて、マルチ表示パネルを支持固定するのが一般的となっている。特に大型、例えば８０インチクラスのマルチパネル型液晶表示装置にもなると、補強板は必須のものと言ってもよい。なおこの補強板としては、一枚ものの巨大なアクリル樹脂製のものが、成形、透明度、コスト等の理由から、よく用いられる。
【特許文献１】特開平１１−２４０４７
【発明の開示】
【発明が解決しようとする課題】
【０００６】
上記したように、マルチパネル型表示装置には、マルチパネルを支持固定するための補強板が必要となってくるが、大型のマルチパネル型表示装置を製造するにあたって、補強板に関する問題が新たに発生してきた。
【０００７】
それは大型のマルチパネルを支持固定するために、マルチパネルの大きさと同様か或はそれ以上の大きさの補強板が必要となってくる。しかしながらこのような大きさの一枚ものの補強板自体を準備することが困難であるという問題である。これはそもそも大型の表示装置を一枚の表示パネルを用いて作成することが困難なため、中・小型の表示パネルを接ぎ合わせたマルチパネルを用いて製造するように、表示装置が大型化するとそれに用いる補強板自体を製造することも製造装置等の関係で難しくなるためである。
【０００８】
当然補強板は、表示パネルを製造するほど複雑なものではなく、通常一枚の単なる透明な板状のものであるため、補強板を製造するにあたっては、表示パネルを製造するような困難性は少ないかもしれない。しかしそれにしても、例えば８０インチ等の表示装置を製造する場合に、その大きさに見合った一枚の補強板を準備することは現実問題として容易なことではなく、またその補強板自体の輸送も大変である。
【０００９】
一方、上記したように大型の表示装置は屋外テレビ放送や屋外広告等に用いられ、通常横に寝かせた状態で使用されることはなく、立てた状態でほぼ使用されるものと考えてよい。そしてこのような表示装置を立てた状態では、左右方向に隣接する表示パネル同士の接ぎ合わせはそれほど強固である必要はないが、上下方向に隣接する表示パネル同士の接ぎ合わせは上に位置する表示パネルの重さが下の表示パネルに加わる等不安定となるため、上下方向に対して十分に強固でなければならない。
【００１０】
そこで、本発明は今後どんどん大型化する表示装置において、新たな問題となり得る補強板の確保の困難性を解消すると共に、パネルを継ぎ合わせた際の上下方向の強度を十分に確保でき、今後の大型化にも十分対応できるマルチパネル型表示装置を提供することを目的とする。  
【課題を解決するための手段】
【００１１】
上記課題を解決するため、本発明は、複数の表示パネルを上下左右に接ぎ合わせて構成されるマルチ表示パネルを備えたマルチパネル型表示装置において、前記マルチ表示パネルは、まず上下方向に隣接する表示パネルと補強板とを一体化した表示パネルユニットを形成し、次に該表示パネルユニットを左右方向に配し互いに接ぎ合わせて構成されていることを特徴とする。
【００１２】
また前記マルチ表示パネルにおいては、隣接する表示パネルの端部が重なるように構成されていることを特徴とする。
【発明の効果】
【００１３】
上記の手段により、今後ますます大型化する表示装置において、補強板の確保の困難性を解消すると共に、パネルを継ぎ合わせた際の上下方向の強度を十分に確保でき、今後の大型化にも十分対応できるマルチパネル型表示装置を提供することができる。
【００１４】
また隣接する表示パネルの端部を重ねることで、表示パネルの接ぎ合わせ部分を目立ち難くすることができる。  
【発明を実施するための最良の形態】
【００１５】
本発明による、マルチパネル型の表示装置は、上下方向に隣接するパネルと補強板とにより表示パネルユニットを形成して、実現したものである。以下本発明の実施例について図面を用いて詳細に説明する。
【実施例１】
【００１６】
図１は、本発明によるマルチパネル型液晶表示装置に用いるマルチ液晶パネルの概略斜視図を示しており、図２はそのマルチ液晶パネルのＡ−Ａ´断面図を示している。なお図２はマルチ液晶パネルを形成する前（上段に記載した図）と、形成した後（下段に記載した図）の断面図を示している。
【００１７】
マルチ液晶パネル１０は、８０インチのものを作成するため、二つの液晶パネルユニット２０ａ、２０ｂを接ぎ合わせて形成している。各々の液晶パネルユニットの基本的な構成は略同じなので、液晶パネルユニット２０ａを用いてその構成を説明する。
【００１８】
液晶パネルユニット２０ａは、二枚の液晶パネル３０、３０´と、液晶パネル３０、３０´の前面側に位置する前面側補強板４０ａと、液晶パネル３０、３０´の背面側に位置する背面側補強板５０ａで構成されている。
【００１９】
液晶パネル３０は、大きさが４０インチのものであり、対向する２枚のガラス基板３１、３２同士を、その周辺に塗布したシール材により貼り合わせており、２枚のガラス基板３１、３２を貼り合わせてできたその隙間に、液晶材料が封入されたものである。ガラス基板自体は０．７ｍｍ程度の厚さを有する非常に薄いものであり、液晶パネル３０自体も約１．４ｍｍ程度と非常に薄い厚さとなっている。なお図示していないが、ガラス基板３１、３２の対向する面とは反対側の面各々には、約０．３ｍｍ程度の厚さを有する偏光板が貼り付けられている。また実際には液晶パネル３０には映像を表示するために必要な信号を入力するための端子が設けられていると共に、その端子を介してゲートドライバやソースドライバ等が接続されているが図示していない。なお液晶パネル３０´も基本構造は液晶パネル３０と同様であるため、その説明は省略する。
【００２０】
前面側補強板４０ａは、アクリル樹脂からなる一枚ものである。前面側補強板４０ａの大きさは、液晶パネル３０と液晶パネル３０´とを上下方向に並べて配置したときの大きさと略同じか、或は若干大きくなっており、その厚さは約８ｍｍとなっている。なお補強板の厚さは表示装置の大きさ等に応じて適したものを使用すればよく、当然薄くなり過ぎると強度的に不足し、厚くなり過ぎると輝度の低下や重量的な問題も生じるので、大体２〜２５ｍｍ程度の範囲で選択すればよい。この前面側補強板４０ａとしては、光の透過性が良く、ある程度の強度を有しているものであれば良いが、そのような観点や製造コスト、加工の容易性の点でアクリル樹脂製のものを用いている。背面側補強板５０ａも、前面側補強板４０ａと同様に一枚のアクリル樹脂からなるものであり、その大きさ等も前面側補強板４０ａと略同様である。
【００２１】
液晶パネルユニット２０ａは、液晶パネル３０と、液晶パネル３０´と、前面側補強板４０ａと、背面側補強板５０ａと、を固定して一体化したものである。実施例１において具体的には、まず液晶パネル３０、３０´を上下方向に並べ、対向する側面同士を透明な接着剤で貼り合わせている。なおこのとき例えば両面テープ等を用いて貼り合わせてもよい。
【００２２】
そして次に前面側のガラス基板（液晶パネル３０であればガラス基板３１）と前面側補強板４０ａを貼り付けて、また背面側のガラス基板（液晶パネル３０であればガラス基板３２）と背面側補強板５０ａを貼り付けて一体化している。ガラス基板と前面側補強板４０ａ、背面側補強板５０ａとの貼り付けは、並べた状態の液晶パネル３０と液晶パネル３０´の周囲にシール材を塗布して貼り付けても良いし、全面に接着剤や両面テープ等を用いて貼り付けてもよい。またこの他の方法として、並べた状態の液晶パネル３０、３０´を前面側補強板４０ａと背面側補強板５０ａとで挟み、前面側補強板４０ａと背面側補強板５０ａとを固定具、例えばビス等を用いて固定しても良い。なお液晶パネルユニット２０ｂも同様の構造となっている。
【００２３】
このようにして形成した液晶パネルユニット２０ａ、２０ｂの端面側を各々接ぎ合わせ、マルチ液晶パネル１０を形成している。実施例１において液晶パネルユニット２０ａ、２０ｂの接ぎ合わせは、対向する側面同士を透明な接着剤で貼り合わせているが、例えば両面テープ等を用いて貼り合わせてもよい。また隣接する液晶パネルユニットの補強板同士を固定具、例えばビス等を用いて固定しても良い。
【００２４】
このように、マルチ液晶パネルを液晶パネルユニットにより形成することにより、マルチ液晶パネルが大型化したとしても、マルチ液晶パネルと同様の大きさの補強板を準備する必要がないので補強板を確保し易くなるとともに、上下方向に隣接する液晶パネルの前後に補強板を配置するため上下方向の液晶パネルの貼り合せを十分に確保することができる。またユニット単位で取扱ができるため、マルチパネル型液晶表示装置を組み立てる際の作業性を高めることができる。
【００２５】
なお、実施例１において補強板を二枚、つまり前面側補強板４０ａと背面側補強板５０ａとを用いたが、必ずしも補強板を二枚用いる必要はなく、補強板は一枚でもあってもよい。しかしながらマルチ液晶パネル１０の大きさが４０インチや、実施例１のように８０インチのような大きなものになると補強板が一枚では、強度的にも不足してしまう。また液晶パネルの表面を傷つけないようにするために、補強板は二枚、つまり液晶パネルの前後に配置した方がより好ましい。
【００２６】
このマルチ液晶パネル１０の後方にバックライトユニット（図示せず）を配置してマルチパネル型液晶表示装置となる。
【実施例２】
【００２７】
図３は、マルチ液晶パネルの他の実施例の概略斜視図を示しており、図４はそのマルチ液晶パネルを構成する液晶パネルユニットのＢ−Ｂ´断面図（ａ）及びＣ−Ｃ´断面図（ｂ）を示している。なお図４は液晶パネルユニットを構成する液晶パネルと前面側の補強板だけを示しており、背面側の補強板については図示していない。
【００２８】
マルチ液晶パネル１１は、実施例１と同様に８０インチのものを作成するため、二組の液晶パネルユニット２１ａ、２１ｂを接ぎ合わせて形成している。
【００２９】
液晶パネルユニット２１ａは、液晶パネル３５と、液晶パネル３５の上方に配置される液晶パネル３５´と、液晶パネル３５と液晶パネル３５´の前面側に位置する前面側補強板４１ａと、液晶パネル３５と液晶パネル３５´の背面側に位置する背面側補強板５１ａで構成されている。
【００３０】
液晶パネル３５、３５´は、実施例１の液晶パネル３０、３０´と構造的には略同様であるので詳細な説明については省略する。
【００３１】
前面側補強板４１ａは、アクリル樹脂からなる一枚ものである。前面側補強板４１ａの大きさは、液晶パネル３５と液晶パネル３５´を並べて配置したときの大きさと略同じか、或は若干大きくなっている。背面側補強板５１ａも同様にアクリル樹脂からなるものである。
【００３２】
この実施例２は実施例１と異なり、前面側補強板４１ａにおいて液晶パネル３５が配置される下方側が厚くなっており、液晶パネル３５´が配置される上方側が薄くなっている。図示するように下方側は上方側よりＴだけ厚くなっており、このＴの値は液晶パネルの厚さｔの値よりも大きくなっている。このように上方側と下方側で液晶パネルの厚さの値以上に厚さの異なる前面補強板４１ａを用いることで、液晶パネル３５と液晶パネル３５´を前後にずらして重ねて配置することができる。
【００３３】
ここで図４に示す液晶パネル３５、３５´の斜線部で示す部分は表示に寄与しない部分である。液晶パネルは一対のガラス基板を周辺で貼り合わせて、その間に液晶材料を封入している構造であるため、どうしても液晶パネル周辺に、所謂額縁と呼ばれる表示に寄与しない部分が存在する。このような液晶パネルを、単純に平面的に面位置で配置すると、二つの額縁が連続してしまうため、つなぎ目が非常に目立ってしまうことになる。しかしながら上方側と下方側とで厚さの異なる一枚の補強板を用い、液晶パネル３５、３５´の額縁同士を重ねて配置することで、みかけ上一つの額縁しか存在しなくなるので、つなぎ目が目立ち難くなる。なお液晶パネルユニット２１ａは、液晶パネル３５、３５´と前面側補強板４１ａと背面側補強板５１ａとを実施例１と同様の方法により一体化している。
【００３４】
液晶パネルユニット２１ｂは、液晶パネル３６、３６´と、液晶パネル３６、３６´の前面側に位置する前面側補強板４１ｂと、液晶パネル３６、３６´の背面側に位置する背面側補強板５１ｂで構成されている。そして液晶パネルユニット２１ａと異なる点は、前面側補強板４１ｂと背面側補強板５１ｂの厚さの関係が、前面側補強板４１ａと背面側補強板５１ａの厚さの関係と逆になっている。つまり前面側補強板４１ｂの場合には液晶パネル３６´が配置される上方側が、液晶パネル３６が配置される下方側よりも厚くなっているということである。
【００３５】
また図３に示すように、前面側補強板４１ｂの上方側には、右側に隣接する液晶パネルユニット２１ａの液晶パネル３５´の額縁（図３において斜線部で示す部分）をちょうど受け入れる大きさの切欠き部４４が設けられている。なおこれとは反対に、液晶パネルユニット２１ａの背面側補強板５１ａの上方側には、左側に隣接する液晶パネルユニット２１ｂの液晶パネル３６´の額縁を受け入れる大きさの切欠き部が設けられている。また図示していないが、液晶パネルユニット２１ａの前面側補強板４１ａの下方側と、液晶パネルユニット２１ｂの背面側補強板５１ｂの下方側にも、同様に切欠き部が設けられている。
【００３６】
このような液晶パネルユニット２１ａと、液晶パネルユニット２１ｂとを接ぎ合わせると、隣接する液晶パネルが互いに同じ高さで隣接しないように配置することができる。そして隣接する液晶パネルが、その端部を重ねるように配置し、額縁同士を重ねているので、接ぎ合わせ部分にはみかけ上一つの額縁しか存在しなくなり、接ぎ合わせ部分が目立ち難くなる。なお液晶パネルユニット２１ａと液晶パネルユニット２１ｂとは実施例１と同様の方法により一体化している。
【００３７】
なお、実施例２においては、図５に示すように、実線で示した対向する液晶パネル３５´と液晶パネル３６は対向面のコーナー部分をカットしている。同様に破線で示した対向する液晶パネル３５と液晶パネル３６´の対向面のコーナー部分をカットしている。このようにすることにより、液晶パネル二枚分の厚さで隣接する液晶パネルを重ね、液晶パネルを重ねることによる視差を最小に抑えている。
【実施例３】
【００３８】
図６は本発明によるマルチ表示パネル型表示装置におけるマルチ液晶パネルの他の実施例の平面図を示している。
【００３９】
マルチ液晶パネルは、４個の液晶表示パネルユニット２２ａ、２２ｂ、２２ｃ、２２ｄを接ぎ合わせて構成されている。そして各々の液晶パネルユニットには、実施例１、実施例２と同様に、上下方向に隣接する２つの液晶パネルと、前面側補強板と、背面側補強板とを一体にして形成されている。なお図６においては液晶パネルユニット２２ａの、液晶パネル３７、３７´と、前面側補強板４２ａを示している。
【００４０】
なお各々の液晶パネルユニットにおいては、実施例２のように隣接する液晶パネルの額縁を重ねるために、液晶パネルユニットを構成する補強板の厚さを上方側と下方側とで変えおり、これにより液晶パネルを前後にずらして重ねて配置している。また液晶パネルユニットを構成する補強板に隣接する液晶パネルユニットの液晶パネルを受け入れる切欠き部を設けると共に、隣接する液晶パネルユニットにおいて液晶パネルの前後関係を逆にしている。
【００４１】
このような構成によると、今後ますますマルチパネル型表示装置が大型化したとしても、ユニット単位でマルチ表示パネルを形成するので、表示装置の強度を得るために必ず必要な補強板についても十分に確保することが可能となる。またパネルを継ぎ合わせた際の上下方向の強度を十分に確保でき、今後の大型化にも十分対応できるマルチパネル型表示装置を提供することができる。
【００４２】
なお、当然のことではあるが、実施例に示す以上の液晶パネルユニットを用いてマルチ液晶パネルを構成しても構わない。また実施例では、液晶パネルユニットを形成する上下方向に隣接する液晶パネルの数は２つだけであるが、それ以上の数でも構わない。
【図面の簡単な説明】
【００４３】
【図１】本発明における第１実施例のマルチ液晶パネルの概略斜視図を示している。
【図２】第１実施例のマルチ液晶パネルのＡ−Ａ´断面図を示している。
【図３】本発明における第２実施例のマルチ液晶パネルの概略斜視図を示している。
【図４】第２実施例のマルチ液晶パネルのＢ−Ｂ´及びＣ−Ｃ´断面図を示している。
【図５】第２実施例のマルチ液晶パネルを構成する液晶パネルの平面配置図を示している。
【図６】本発明における第３実施例のマルチ液晶パネルの概略平面図を示している。
【図７】従来のマルチパネル型表示装置の概略斜視図を示している。
【符号の説明】
【００４４】
１０  マルチ液晶パネル
２０ａ、２０ｂ  液晶パネルユニット
３０、３０´  液晶パネル
４０ａ  前面側補強板
５０ａ  背面側補強板
【図１】
2006065153.tif 000003
【図２】
2006065153.tif 000004
【図３】
2006065153.tif 000005
【図４】
2006065153.tif 000006
【図５】
2006065153.tif 000007
【図６】
2006065153.tif 000008
【図７】
2006065153.tif 000009